(57)【要約】装着者の肩部の形状に合致するように造形されたブラジャーのショルダーストラップが提供される。肩部の形状に合致させることによって、このストラップは、緩衝効果を発揮し維持する。このショルダーストラップは、装着者の肩部領域のロード支持の大きさを増大するために従来のブラジャーストラップよりも幅の広い曲線エリアを有する。このエリアは、内部中空部を囲む外側カバーを持つ。前記中空部は、例えば、シリコンのゲルである緩衝材で充填される。
2005516122.tif 000002
【特許請求の範囲】
【請求項１】
装着者の肩部に載置するために配置され、前記肩部と解剖学的に合致する曲線形状部分を含むブラジャー用ショルダーストラップであって、
前記曲線形状部分は、拡張された中心部分と一対の幅の狭い端部部分とを有し、前記1対の端部部分は、それぞれが前記中心部分の異なる端部に位置し、ショルダーストラップの中心線を形成しており、前記中心部分は、少なくとも部分的に前記ショルダーストラップの前記中心線から偏って横方向にオフセットされているブラジャー用ショルダーストラップ。
【請求項２】
前記曲線形状部分は、「Ｓ字状」、「Ｃ字状」、「正弦状」、および、これらの任意の組み合わせからなるグループから選択される形状である請求項１記載のショルダーストラップ。
【請求項３】
前記中心部分は、１つの「Ｓ字状」である請求項１記載のショルダーストラップ。
【請求項４】
前記中心部分は、１つの「Ｓ字状」である請求項２記載のショルダーストラップ。
【請求項５】
前記曲線形状部分は、１つの外側カバーを有する請求項１記載のショルダーストラップ。
【請求項６】
前記1対の幅の狭い端部部分は、前記曲線形状部分を前記ショルダーストラップに接続する請求項１記載のショルダーストラップ。
【請求項７】
前記外側カバーは、前記曲線形状部分を適切に包囲する材料で製造される請求項５記載のショルダーストラップ。
【請求項８】
前記曲線形状部分は、柔軟な衝撃吸収材料を配置するための中空エリアを備える請求項１記載のショルダーストラップ。
【請求項９】
前記1対の幅の狭い端部部分は、前記ショルダーストラップと一体に形成されている請求項１記載のショルダーストラップ。
【請求項１０】
前記曲線形状部分は、前記外側カバーの横方向縁部と前記中心部分との間に、前記曲線状部分が、装着者の肩部に合致することを可能にするスペースを有する請求項１記載のショルダーストラップ。
【請求項１１】
前記外側カバーは、ストレッチ性材料から製造される請求項５記載のショルダーストラップ。
【請求項１２】
前記外側カバーは、ポリエステル、綿、ナイロン、スパンデックス、および、これらの任意の組み合わせからなるグループから選択される材料から製造される請求項５記載のショルダーストラップ。
【請求項１３】
前記外側カバーは、約６５％のポリエステルと約３５％の綿で製造されている請求項５記載のショルダーストラップ。
【請求項１４】
前記中心部分は、ポリウレタンフィルムから形成されている請求項１記載のショルダーストラップ。
【請求項１５】
前記の柔軟な衝撃吸収材料は、粒子、液体、発泡体、および、これらの任意の組み合わせからなるグループから選択されている請求項１記載のショルダーストラップ。
【請求項１６】
前記の柔軟な衝撃吸収材料はゲルである請求項１記載のショルダーストラップ。
【請求項１７】
前記の柔軟な衝撃吸収材料はシリコンゲルである請求項１記載のショルダーストラップ。
【請求項１８】
前記曲線形状部分は、前記１対の細長い端部部分の間において、約９  1/８インチ〜約９  １/２インチの範囲の長さを有する請求項１記載のショルダーストラップ。
【請求項１９】
前記曲線形状部分は、前記曲線形状部分の１つの頂点と前記外側カバーの前記横方向縁部との間において、約１  ３/８インチ〜約１  １/２インチの範囲の幅を有する請求項１記載のショルダーストラップ。
【請求項２０】
前記中心部分は、前記1対の細長い端部部分の間において、約７  1/３２インチ〜約７  ５/３２インチの範囲の長さを有する請求項１記載のショルダーストラップ。
【請求項２１】
前記中心部分は、約１２/１６インチ〜約１４/１６インチの範囲の幅を有する請求項１記載のショルダーストラップ。
【請求項２２】
前記曲線形状部分は、前記1対の細長い端部部分におけるよりもその直径において大きい幅を有する請求項１記載のショルダーストラップ。
【請求項２３】
前記曲線形状部分は、約０．１６インチ〜約０．２インチの範囲の厚さを有する請求項１記載のショルダーストラップ。
【請求項２４】
前記曲線形状部分は、約９．８グラム〜約１１．０グラムの範囲の重量を有する請求項１記載のショルダーストラップ。
【請求項２５】
前記曲線形状部分は、約６．０グラム〜約７．０グラムの範囲の重量を有する請求項１記載のショルダーストラップ。
【請求項２６】
肩部に載置するために配置され、前記肩部と解剖学的に合致する曲線形状部分を含むブラジャー用ショルダーストラップであって、
前記曲線形状部分は、前記肩部に増大したロード支持表面エリアを提供し、前記曲線形状部分は、拡張された中心部分と一対の幅の狭い端部部分とを有し、前記1対の端部部分は、それぞれが前記中心部分の異なる端部に位置し、ショルダーストラップの中心線を形成しており、前記中心部分は、少なくとも部分的に前記ショルダーストラップの前記中心線から偏って横方向にオフセットされており、
前記1対の端部部分は、前記曲線形状部分を前記ショルダーストラップに接続し、
前記曲線形状部分は、ゼラチン質の材料を配置するための中空のエリアを有するブラジャー用ショルダーストラップ。
【請求項２７】
前記曲線形状部分は、１つの「Ｓ字状」である請求項２７記載のショルダーストラップ。
【請求項２８】
前記中心部分は、１つの「Ｓ字状」である請求項２６記載のショルダーストラップ。
【請求項２９】
前記中心部分は、「Ｓ字状」を形成するために湾曲されている請求項２７記載のショルダーストラップ。
【請求項３０】
前記1対の端部部分は、ショルダーストラップと一体に形成されている請求項２６記載のショルダーストラップ。
【請求項３１】
前記曲線形状部分は、ポリエステル、綿、ナイロン、スパンデックス、および、これらの任意の組み合わせからなるグループから選択された材料から製造された外側カバーを有する請求項２６記載のショルダーストラップ。
【請求項３２】
前記中心部分は、ポリウレタンフィルムから形成される請求項２６記載のショルダーストラップ。
【請求項３３】
前記ゼラチン状材料はシリコンゲルである請求項２６記載のショルダーストラップ。
【請求項３４】
ショルダーストラップ内に配置されたほぼ楕円形状のエリアを備える本体を含むブラジャー用ショルダーストラップであって、前記楕円形状エリアは、肩部に載置するために配置され、解剖学的に肩部に合致しており、前記楕円形状エリアは、前記肩部に増大したロード支持表面エリアを提供し、前記楕円形状エリアは、１つの外側カバーと造形された中心部分とを有し、前記楕円形状エリアは、造形された中心部分と前記外側カバーの１つの外側縁部との間に規定された非中空エリアを有しており、前記外側カバーは、第１の端部と第２の端部を有し、前記第１および第２の両端部は、前記楕円形状エリアを前記ショルダーストラップに接続し、前記の造形された中心部分は、ゼラチン質の材料を配置するための１つの包囲された中空エリアを形成するブラジャー用ショルダーストラップ。
【請求項３５】
前記第１および第２の両端部は、ショルダーストラップに一体に形成されている請求項３４記載のショルダーストラップ。
【請求項３６】
前記外側カバーは、ポリエステル、綿、ナイロン、スパンデックス、および、これっらの任意の組み合わせからなるグループから選択される材料で製造される請求項３４記載のショルダーストラップ。
【請求項３７】
前記の造形された中心部分は、ポリウレタンフィルムから形成される請求項３４記載のショルダーストラップ。
【請求項３８】
前記のゼラチン質の材料はシリコンゲルである請求項３４記載のショルダーストラップ。
【発明の詳細な説明】
【技術分野】
【０００１】
この発明は、一般にショルダーストラップに関する。より特定すれば、この発明は、ブラジャー用のショルダーストラップに関する。更に特定すれば、この発明は、所望に合致するように人間工学的に設計されて装着者に心地よさと支持をもたらすショルダーストラップに関する。
【背景技術】
【０００２】
従来技術の説明
【０００３】
ブラジャーのショルダーストラップに関連するよく知られた問題は、ストラップによって生じる装着者の肩部における不快感である。
【０００４】
特に、ブラジャーのショルダーストラップは、肩部の皮膚に装着痕や焦燥感を生じる原因となる。この不快感を緩和するためにこれまでに幾多の試みがなされてきた。そのうちのある試みは、ストラップと装着者の肩部との間に介装されるか、ストラップに取り外し可能に取り付けられた綿またはフォームラバーのショルダーパッドの使用を含んでいる。そのようなパッドは、嵩張り見苦しいばかりでなく不便であることがわかっている。その理由は、パッドがストラップから外れたり、ストラップにおける取り付け位置がずれたりするからである。
【０００５】
パッド構造体をストラップ自体に組み込むことを試みたブラジャーストラップもある。そのようなブラジャーストラップは、不快感の緩和に多少は成功している。しかしながら、これらのストラップもまた生来の不利を備えている。このタイプのストラップは往々にして、数回の機械洗濯を行った後は、美観を維持することができない。これらのパッドは、形状をなくして膨隆し、色落ちもする。もっと重大なことには、これらのストラップはいずれも装着者と動きに合致して長手方向に伸びるショルダーストラップの心地よさを提供しないことである。
【０００６】
不快感を緩和する他の試みは、肩部エリアに荷重をより広く分散するためにブラジャーストラップの幅を拡大することを含んでいる。
【０００７】
他のタイプのショルダーストラップ、すなわち、背嚢、ゴルフバッグのショルダーストラップは、ショックアブソーバーとしてゲル(gel)を用いることを企てた。そのようなストラップはやはり嵩張り、滑らかな美観を提供しない。
【０００８】
以上のように、最初に人体の肩部の解剖学的構造と合致して配置され、装着者とともに動く充分な可撓性を備えており、かつ、他方において、その美観を維持するブラジャー用ストラップに対するニーズが存在する。
【発明の開示】
【発明が解決しようとする課題】
【０００９】
発明の概要
【００１０】
装着者の肩部エリアの解剖学的構造に合致した造形を有するブラジャー用ストラップを提供することがこの発明の１つの目的である。
【００１１】
この発明の別の目的は、装着者の肩部エリアを抱持し緩衝する人間工学的に設計されたブラジャー用ストラップを提供することである。
【００１２】
装着者の肩部の不快感と焦燥感とを軽減するブラジャー用ストラップを提供することがこの発明の更に別の目的である。
【００１３】
嵩張らない美観を備えるブラジャーストラップを提供することが、この発明のなお別の目的である。
【００１４】
大きい耐磨耗寿命を達成するように構成されたブラジャーストラップを提供することが、この発明の更になお別の目的である。
【課題を解決するための手段】
【００１５】
この発明のこれらの、そして、他の目的および利点は、装着者の肩部の形状に合致するように解剖学的に造形されたブラジャー用ショルダーストラップによって達成される。肩部の形状に合致させることによって、この発明のストラップは、緩衝効果を提供しこれを維持する。このショルダーストラップは、装着者の肩部のロード支持領域の大きさを増大するために、従来のブラジャーストラップよりも幅の広い曲線の造形エリアを有する。好ましい１具体例においては、ストラップの曲線の造形エリアは、「Ｓ字状」である。この曲線造形エリアは、内側の中空部分を囲む外側の被覆部材を含んでいる。この内側中空部分は、１つの緩衝材で充填される。好ましい１具体例においては、この緩衝材は、シリコンのゲルである。
【発明を実施するための最良の形態】
【００１６】
発明の具体的説明
【００１７】
この発明の目的と利点は、添付図面と関連する以下の詳細な説明から明らかであろう。
【００１８】
添付図面、特に、図１を参照すれば、参照符号１０で一般的に示されるブラジャーが図示されている。ブラジャー１０は、１対のショルダーストラップ１５と１対のブレストカップ２５を含む。
【００１９】
各ショルダーストラップ１５は、図２に一層はっきり示されるように、曲線の造形エリア２０を有している。
【００２０】
ここで使用するように、用語「垂直」と「水平」は、着用者の身体に配置された場合の、したがって、図１に示すブラジャー１０の方向に関して規定される。したがって、ショルダーストラップ１５は、ブラジャー１０の後部から実質的に垂直方向に延出し、次いで基本的に水平となり、次いでブレストカップ２５に向かって垂直となる。造形エリア２０は、図１において４‐４線で規定される平面内において水平に存在する。
【００２１】
造形エリア２０は、従来のブラジャーストラップによって創り出される垂直面から偏る。この偏りが、ショルダーストラップ１５が所望どおりに装着者の肩上部の輪郭または解剖学的構造に合致してフィットすることを可能にする。基本的には、造形エリア２０は、曲線であり細長い「Ｓ字形態」であることがもっと好ましい。しかしながら、特定の輪郭を備える肩部のためには、造形エリア２０は、もっと明確な「Ｓ字形態」であって差し支えない。図２は、装着者から遠ざかって湾曲する頂点(apex)１９０を備える造形エリア２０を示すが、湾曲頂点はもっと装着者に向かって湾曲してもよい。
【００２２】
図２を参照すれば、造形エリア２０は、好ましく細長い「Ｓ字形態」をなす。造形エリア２０は、ブラジャーの後部に向かって位置する第１の縁部２００とブラジャーの前部に向かって位置する第２の縁部２１０を好ましく備えており、これらの両縁部はともに直角に区切られている(square off)ことが好ましい。ショルダーストラップ１５の造形エリア２０は、外側の布製カバー２２０と曲線の中心部分２９０とを含む。外側のカバー２２０は、第１のカバー端部２３０と第２のカバー端部２４０を有する。第１のカバー端部２３０は、造形エリア２０を、(図１に示す)ブラジャー１０の後部に接続するショルダーストラップ１５の一部に接続する。第２のカバー端部２４０は、造形部２０をブレストカップ２５に直接接続するか、或いは、(図１に示す)ブレストカップ２５に至るショルダーストラップ１５の一部に接続する。１代替具体例においては、第１のカバー端部２３０と第２のカバー端部２４０は、(図１に示す) ショルダーストラップ１５と一体に形成されてもよい。
【００２３】
外側の布製カバー２２０は、ポリエステル、綿、ナイロン、スパンデックスを含むがこれらにのみ限定はされない多様な材料、および、これらの組み合わせから製造することが可能である。外側の布製カバー２２０は、約６５％のポリエステル、約３５％の綿から製造されることが好ましい。同時にまた、外側布製カバーは、ストレッチ性を備えることが好ましい。
【００２４】
中心部分２９０は、袋を提供する中空のエリア２５０を備えることが好ましい。中心部分２９０はまた同時に、第２の上縁部３００と第２の底縁部３１０が直角に切り抜かれることが好ましい細長い「Ｓ字状」をなすことが好ましい。中心部分２９０は、緩衝材２８０のの配列体を収容し、装着者の肩部のロード支持エリアの大きさを増大するために、その縁部におけるよりも中心部における方がその幅が広いことが好ましい。中心部分２９０と外側カバー２２０の横縁部の間には、造形エリア２０が、装着者の肩部にますます容易に合致することが可能なように、１つのスペースが存在することが好ましい。中心部分２９０は、１００％ポリウレタンフィルムから形成されることが好ましい。
【００２５】
再び図２を参照すれば、造形エリア２０は、変化する寸法を備えることが可能である。この発明においては、測定が、図２に示す線に沿って行われる。図５は、図２に示される寸法の範囲を表示する一覧表である。第１の端部２３０から第２の端部２４０に至る造形エリア２０の好ましい長さ(Ａ)の範囲は、約９  1/８インチ〜約９  1/２インチに亘る。造形エリア２０の好ましい最大幅の範囲は、約１  ３/８インチ〜約１  １/２インチに亘る。第１の端部２３０の長さ(Ｃ)の範囲は、約１１/１６インチ〜約１３/１６インチに亘ることが好ましい。第２の端部２４０の長さ(Ｄ)の範囲は、約１  １１/３２インチ〜約１  １５/３２インチに亘り、他方において、第１の端部２３０と第２の端部２４０の幅(Ｅ)の範囲は、約２１/３２インチ〜約２３/３２インチに亘る。第２の上縁部３００から第２の底縁部３１０までの中心部分２９０の好ましい長さ(Ｂ)は、約７  １/１３インチ〜約７  ５/３２インチに亘る。中心部分２９０の好ましい幅(Ｈ)は、その中心部分において、約１２/１６インチ〜約１４/１６インチであり、他方、その端部部分における中心部分２９０の好ましい幅(Ｆ)は、約４/１６インチ〜約６/１６インチである。中心部分２９０とカバー２２０の間の好ましい距離(Ｇ)は、約７/３２インチ〜約９/３２インチに亘ることが好ましい。
【００２６】
造形エリア２０の好ましい厚さは、約０．１６インチ〜約０．２インチの範囲である。造形エリア２０の好ましい重量は、約９．８グラム〜約１１．０グラムの範囲である。
【００２７】
上に表示した幅と長さは、ブラジャーに利用される具体例、および、潜在顧客の各グループ毎の所望の標準によって変動してよい点を理解すべきである。
【００２８】
図３は、造形エリア２０が細長い楕円である場合の図２に示すブラジャーストラップの代替具体例である。
【００２９】
図４に示すように、外側のカバー２２０は、１または複数の、好ましくは、中心部分２９０を包むために周囲をシールされた２つの材料２６０、２７０から製造される。カバー２２０の材料２６０、２７０の一方の１側面は、装着者の皮膚と接触する(図１に示す)ショルダーストラップ１５の側面である。
【００３０】
再度図４を参照すれば、中心部分２９０の中空部分２５０が、緩衝材２８０で充填されていることが見て取れるであろう。緩衝材２８０は、造形エリア２０の膨隆を生じることなく中心部分２９０の偏りを可能にしなければならない。このことを成し遂げるためには中空エリア２５０は、中空エリアの一部だけが緩衝材２８０で充填されることができる。緩衝材２８０は、中心部分２９０の重量が約６．０グラム〜約７．０グラムになるように中空部分の体積を消費する。
【００３１】
緩衝材２８０は、粒子、流体、発泡体、およびこれらの任意の組み合わせを含むがこれらのみには限定されない広範な材料から選択することができる。緩衝材２８０は、中空部分２５０が、ほとんど全容積に至るまで充填されることが可能な液体であることが好ましい。好ましい液体はシリコンゲルである。このように、内部に緩衝材２８０を備える中心部分290はフィルムであるが柔軟である。同時に、中心部分２９０は、膨隆した外観を提供しない。したがって、(図１に示される)ショルダーストラップ１５は、持ち上がったり、捲れあがったり、膨れたりはしない。緩衝材２８０は、繰り返される機械洗濯のために短期間のうちに劣化するような材料であってはならない点を理解すべきである。
【００３２】
好ましい具体例においては、緩衝材２８０は、第２の上縁部３００または第２の底縁部３１０のどちらかにある開口を介して中心部分２９０の中空部分２５０内に挿入される。緩衝材２８０は、所望の重量と容積が得られるまで中空部分２５０に挿入される。この開口は次に成形によってシールされる。この成形プロセスは、中心部分２９０にその形状を与える。外側カバー２２０の各材料部片２６０、２７０は、ラミネートされ、次いで、中心部分２９０の周囲において超音波シールが施される。1つの代替具体例においては、あまり好ましくはないが、中心部分２９０が、緩衝材２８０で事前に充填された１つの袋である。外側カバー２２０は、次に、中心部分２９０の周囲でシールされる。
【００３３】
ブラジャーストラップ中に造形エリアを形成するために、伸縮性外側カバーを袋に入れた緩衝材と組み合わせることは、心地よさと融通性とを備えるとともに、他方において、歓迎すべき審美的な外観を有するブラジャーストラップを提供する。
【００３４】
この発明は、その好ましい形態を特に参照しつつ説明されたが、付属のクレームに規定されたこの発明の精神と技術的範囲を逸脱することなく様々な変更と改変を加えることが可能であることが明らかである。
【図面の簡単な説明】
【００３５】
【図１】この発明の１対のブラジャー用ストラップを有するブラジャーの斜視図。
【図２】図１のブラジャー用ストラップの曲線をなす「Ｓ字状」エリアの拡大図。
【図３】図２のブラジャー用ストラップの１つの代替具体例。
【図４】図２の測定面Ｉに沿う断面図。
【図５】図２に示すブラジャー用ストラップの諸測定部を表示するテーブル。
【図１】
2005516122.tif 000003
【図２】
2005516122.tif 000004
【図３】
2005516122.tif 000005
【図４】
2005516122.tif 000006
【図５】
2005516122.tif 000007
【国際調査報告】
2005516122.tif 000008